Podtech/llm-jp-corpus-v4-ja_patent huggingface dataset:
(57)【要約】      （修正有）【課題】首に掛け洗濯バサミを取り出しながら次々とスムーズに洗濯物を挟みながら干す事が出来る首掛け洗濯バサミ入れを提供する。【解決手段】長方形の箱型を本体とし、布の素材は綿、キャンバス又は不織布を使用し、その厚さは０．５ｍｍ（８オンス）から０．７ｍｍ（１２オンス）とし、本体の内側全体に接着芯をアイロンで貼り付けるマチが出来るように縫い付けて本体を完成させ、袋口を１．５ｃｍから２ｃｍ幅で縫い、本体の高さ４か所にステッチを５ｍｍ幅で縫い付け、縦幅の中央２ヶ所にベルトを縫製し、ベルトの素材はアクリル又は綿とし、長さは１．２ｍから１．３ｍ、幅２．５ｃｍから３．０ｃｍ、厚さ１．３ｍｍから１．５ｍｍとし、色は茶系、青系、オレンジ系又はグレー系とし、底材にはベルポーレンを使用し、厚さ０．５ｍｍから２．０ｍｍの底板を底に設置する。【選択図】図１
0003220302.tif 000002
【実用新案登録請求の範囲】
【請求項１】
長方形の箱型を本体とし、布の素材は綿・キャンバス・不織布を使用しその厚さは０.５ｍｍ(８オンス)から０.７ｍｍ（１２オンス）とし、本体の内側全体に接着芯をアイロンで貼り付けるマチが出来るように縫い付け本体を完成させ、袋口を１.５ｃｍから２ｃｍ幅で縫い本体の高さ４か所にステッチを５ｍｍ幅で縫い付け、縦幅の中央２ヶ所にベルトを縫製ベルトの素材はアクリル又は綿で長さは１.２ｍから１.３ｍ、幅２.５ｃｍから３.０ｃｍ厚さ１.３ｍｍから１.５ｍｍ  色は茶系  青系  オレンジ系  グレー系底板の底材にはベルポーレンを使用し厚さ０.５ｍｍから２.０ｍｍの底板を底に設置する。  
長方形の箱型の形をしたことを特徴とする首掛け洗濯バサミ入れ。
【考案の詳細な説明】
【技術分野】
【０００１】
本考案は、首掛け洗濯バサミ入れに関するものである。
【背景技術】
【０００２】
従来の洗濯バサミ入れはプラスチック製の素材で作られていたもの、又はエプロンにプラスチックのベルトが付いたものなどがあると思われます。
【考案の概要】
【考案が解決しようとする課題】
【０００３】
従来にわたり  プラスチック製の素材が使われている物があり  劣化する可能性や又硬さもあり大きさにもよりますが違和感があり使いにくいという問題点があり、その問題点を解決することを課題としました。
【課題を解決するための手段】
【０００４】
本考案は長方形の箱型の形をした布製の首掛け洗濯バサミ入れで  布の素材は綿  キャンバス  不織布を使用する。長方形の箱型を本体とし本体の縦幅１０ｃｍから１５ｃｍ横幅２０ｃｍから２６ｃｍ  高さ１２ｃｍから１５ｃｍ布の内側に接着芯を貼りマチが１０ｃｍから１５ｃｍになるように縫い付け本体を作る。
【０００５】
高さ4か所にステッチを縫い付け  本体の縦幅の両サイド中央にベルトを縫製します。  
ベルトには  移動カン  角カンを取り付け  身長に合わせ調節ができるようにします。
底には底板を設置します。
【０００６】
本考案の首掛け洗濯バサミ入れは布製品で出来ている為、硬さもなく、劣化もなりにくく、大きくもなく違和感も感じられず  いろんな柄を使い、お洒落さもでる事により問題を解決しようとするものである。
【考案の効果】
【０００７】
上述の様に  本考案の首掛け洗濯バサミ入れの本体は布製の素材なのでプラスチック製の素材よりも硬さもなく、大きくもない為違和感も感じられず首掛け洗濯バサミ入れに洗濯バサミを入れて、首に掛ける事により洗濯バサミを取りに行く手間もなく  スムーズに洗濯物を干す事ができるという事が役に立ちます。
【図面の簡単な説明】
【０００８】
【図１】本考案の首掛け洗濯バサミ入れの斜視図
【図２】接着芯を貼り付ける部分の展開図
【考案を実施するための形態】
【０００９】
洗濯した洗濯物を、物干し竿に  干した後  予め首掛け洗濯バサミ入れに洗濯バサミを入れておき  首掛け洗濯バサミ入れを首に掛け、洗濯物を干します。
洗濯バサミを何回も取りに行くことなく洗濯物に洗濯バサミをスムーズに挟んでいく事ができ、何か落として拾おうとしても洗濯バサミ入れから洗濯バサミが落ちる心配はありません。
洗濯物を取り込む時も首掛け洗濯バサミ入れを首に掛け、洗濯バサミも洗濯物も片付けられ、一石二鳥と言う事になります。
【実施例】
【００１０】
以下の添付図面に従って実施例を説明する。
図1の１は長方形の箱型の形をした首掛け洗濯バサミ入れの完成図の斜視図になります。
１１・１２のようなマチが出来るように箱型に縫い付け  ２の袋口に縫い付けます。
７・８・９・１０の高さにはステッチを縫い  ３と４は縦幅の中央にベルトを縫製する。１４は内側の底に底板を設置する。
【００１１】
図2の斜線は  図1の内側の布の全面に接着芯を貼り付ける部分です
【符号の説明】
【００１２】
１      首掛け洗濯バサミ入れ本体
２      袋口
３と4  縦幅１０ｃｍから１５ｃｍ
５と６  横幅２０ｃｍから２６ｃｍ
７と８と９と１０  高さ１２ｃｍから１６ｃｍ
１１・１２        マチ
１３  ベルト  １３ａ移動カン  １３ｂ角カン
１４    底      
【図１】
0003220302.tif 000003
【図２】
0003220302.tif 000004
【手続補正書】
【提出日】平成30年12月20日(2018.12.20)
【手続補正１】
【補正対象書類名】実用新案登録請求の範囲
【補正対象項目名】全文
【補正方法】変更
【補正の内容】
【実用新案登録請求の範囲】
【請求項１】
長方形の箱型を本体とし、布の素材は綿、キャンバス又は不織布を使用し、その厚さは０.５ｍｍ（８オンス）から０.７ｍｍ（１２オンス）とし、前記本体の内側全体に接着芯をアイロンで貼り付けるマチが出来るように縫い付け本体を完成させ、袋口を１.５ｃｍから２ｃｍ幅で縫い、前記本体の高さ４か所にステッチを５ｍｍ幅で縫い付け、縦幅の中央２ヶ所にベルトを縫製し、前記ベルトの素材はアクリル又は綿とし、長さは１.２ｍから１.３ｍとし、幅２.５ｃｍから３.０ｃｍとし、厚さ１.３ｍｍから１.５ｍｍとし、色は茶系、青系、オレンジ系又はグレー系とし、底板の底材にはベルポーレンを使用し、厚さ０.５ｍｍから２.０ｍｍの前記底板を底に設置することにより、長方形の箱型の形をしたことを特徴とする首掛け洗濯バサミ入れ。
(57)【要約】      （修正有）【課題】ショットする前のアドレスの際に斜めの複数スコアラインに依ってフェイスが開いた様に見える事でショットのインパクトでフェイスを返す意識が作用し、オンプレーンスイングとスライス打球の軽減を体得させるスライス矯正アイアンヘッドを提供する。【解決手段】スライス矯正アイアンヘッド１は、アイアンヘッド１のフェイス１ａにターゲットと垂直にセットする為のリーディングエッジ４と平行の１本のスコアライン２とその上にフェイスのヒール側が低くトゥー側が高い斜めの複数のスコアライン３を設け、ショットする前のアドレスの際に斜めの複数スコアライン３に依ってフェイス１ａが開いた様に見える事でショットのインパクトでフェイス１ａを返す意識が作用してスライス打球を矯正させる。【選択図】図１
0003220307.tif 000002
【実用新案登録請求の範囲】
【請求項１】
ゴルフのアイアンヘッドのフェイスにリーディングエッジと平行の１本のスコアラインとその上にフェイスのヒール側が低くトゥー側が高い斜めの複数のスコアラインを設け、ショットする前のアドレスの際に斜めの複数スコアラインに依ってフェイスが開いた様に見える事でショットのインパクトでフェイスを返す意識が作用してスライス打球を矯正する為のアイアンヘッド
【考案の詳細な説明】
【技術分野】
【０００１】本考案は、ゴルフの練習時に使用するアイアンフェイスにリーディングエッジと平行の１本のスコアラインとその上にフェイスのヒール側が低くトゥー側が高い斜めの複数のスコアラインを設けた、アイアンヘッドに関する。
【背景技術】
【０００２】ゴルフ練習をする場合、通常は、市販のクラブなどで練習している。
【考案の概要】
【考案が解決しようとする課題】
【０００３】スライス打球を矯正するにはアウトサイドインのスイングプレーンをオンプレーンに直しフェイスがターゲットと垂直に成りボールにインパクトする事が重要である。しかし、スライス打球を打つ人が市販のクラブで練習するだけではスライス打球の矯正が効率良く出来ない。
【課題を解決するための手段】
【解決手段】
【０００４】本考案は、ゴルフのアイアンヘッドのフェイスにターゲットと垂直にセットする為のリーディングエッジと平行の１本のスコアラインとその上にフェイスのヒール側が低くトゥー側が高い斜めの複数のスコアラインを設け、ショットする前のアドレスの際に斜めの複数スコアラインに依ってフェイスが開いた様に見える事でショットのインパクトでフェイスを返す意識が作用してスライス打球の原因であるアウトサイドインのスイングプレーンをオンプレーンに直しスライス打球を矯正させるスイングの改善に役立つ。
【考案の効果】
【０００５】上述の様に本考案のスライス矯正アイアンヘッドは、従来に無いスコアラインに依りフェイスを返しターゲットに垂直なインパクトとオンプレーンスイングが体得出来る。
【図面の簡単な説明】
【０００６】
【図１】本考案のスライス矯正アイアンヘッドの正面図である。
【考案を実施するための形態】
【０００７】４のリーディングエッジと平行な１本のスコアライン２は、ターゲットに垂直に１ａのファイスをセットする為の形状。フェイスのヒール側５が低くトゥー側６が高い斜めの複数のスコアライン３は、ショットする前のアドレスの際に斜めの複数スコアラインに依ってフェイスが開いた様に見えショットのインパクトでフェイスを返す意識が作用してスライス打球の原因であるアウトサイドインのスイングプレーンをオンプレーンに直しスライス打球を矯正させる形状ある。
【符号の説明】
【０００８】１アイアンヘッド
１ａアイアンフェイス
２平行スコアライン
３斜めスコアライン
４リーディングエッジ
５ヒール
６トゥー
【図１】
0003220307.tif 000003
(57)【要約】      （修正有）【課題】冷感持続が可能になり暑い夏の夜でも涼しく気持ちよく快適に眠ることができ、また、冷たすぎず快適に眠ることができエコロジーにもつながる抱き枕を提供する。【解決手段】抱き枕１の足裏・足の甲・ふくらはぎ・太ももと頭・頬・首・腕の部分に保冷剤素材２を設ける。また、抱き枕１の足裏・足の甲・ふくらはぎ・太ももと頭・頬・首・腕の部分に保冷剤カバー３を設ける。【選択図】図１
0003220391.tif 000002
【実用新案登録請求の範囲】
【請求項１】
抱き枕の足元（足裏・ふくらはぎ・太もも）等と上半身（頭部・頬・腕）等の部分に保冷剤素材を設けることを特徴とする抱き枕。
【請求項２】
抱き枕の足元（足裏・ふくらはぎ・太もも）等と上半身（頭部・頬・腕）等の部分に保冷剤素材カバーを設けることを特徴とする抱き枕。
【考案の詳細な説明】
【技術分野】
【０００１】  本考案は、抱き枕に関するものである。
【背景技術】
【０００２】  従来の抱き枕は布や接触冷感等のある素材でできていた。
【考案が解決しようとする課題】
【０００３】  従来の抱き枕は接触冷感はあるものの持久性はなく暑い夏の夜は寝苦しい。
【課題を解決するための手段】
【０００４】  本考案は、接触冷感等の素材でできている抱き枕の足元（足裏・ふくらはぎ・太もも）等と上半身（頭部・頬・腕）等の部分に保冷剤素材とカバーを設ける。
【考案の効果】
【０００５】  本考案は、接触冷感等の素材でできている抱き枕の足元（足裏・ふくらはぎ・太もも）等と上半身（頭部・頬・腕）等の部分に、保冷剤素材を設けることにより冷感持続が可能になり暑い夏の夜でも涼しく気持ちよく快適に眠ることができる。また、保冷剤素材部分にカバーを設けることにより冷たすぎず快適に眠ることができエコロジーにもつながる。
【図面の簡単な説明】
【０００６】
【図１】本考案の持続冷却抱き枕の一実施例を示す正面図である。
【考案を実施するための形態】
【０００７】  抱き枕本体（１）の上半身部分と足元部分に保冷剤素材（２）を設け保冷剤カバー（３）を設ける。
【符号の説明】
【０００８】１  抱き枕本体
２  保冷剤素材
３  保冷剤カバー素材
【図１】
0003220391.tif 000003
【手続補正書】
【提出日】平成30年12月13日(2018.12.13)
【手続補正１】
【補正対象書類名】実用新案登録請求の範囲
【補正対象項目名】全文
【補正方法】変更
【補正の内容】
【実用新案登録請求の範囲】
【請求項１】
抱き枕の足裏・足の甲・ふくらはぎ・太ももと頭・頬・首・腕の部分に保冷剤素材を設けることを特徴とする抱き枕。
【請求項２】
抱き枕の足裏・足の甲・ふくらはぎ・太ももと頭・頬・首・腕の部分に保冷剤カバーを設けることを特徴とする抱き枕。
(57)【要約】      （修正有）【課題】自転車の方向指示機で昼夜を問わず安全のため点灯信号を出し走行できる方向指示機付き自転車を提供する。【解決手段】乾電池１を電源とする装置を取り付け、自転車１００に乗る人、歩行者や自動車等を運転する人々に自転車が左右どちらの方向に曲がろうとするのかを分かるようにする。【選択図】図１
0003220392.tif 000002
【実用新案登録請求の範囲】
【請求項１】
乾電池を電源とする方向指示機装置を自転車に取り付け、左スイッチ・右スイッチ・左前側、左後側指示機・右前側、右後側指示機それらを繋ぐ配線を少なくとも備えた自転車で有って、グリップを離すことなく親指で操作ができることが最大の特徴である。
ソーラーパネル・ダイナモ・ボタン電池なども応用できる。右スイッチを押すと右側の前後の指示ランプが点灯し、消灯させたい時は右スイッチを親指でもう一度押すと消灯する。
左スイッチを押すと左側の前後の指示ランプが点灯し、消灯させたい場合は親指でもう一度押すと消灯する事が出来るのが特徴とする方向指示機付き自転車。
【考案の詳細な説明】
【技術分野】
【０００１】本考案は、方向指示機を付けた自転車に関するものである。
【背景技術】
【０００２】自転車で走行中、前方・後方から来る歩行者及び自動車等を運転する者に左右どちらの方向に曲がるのか、確認できない状況であった。
【考案の概要】
【考案が解決しようとする課題】
【０００３】乾電池を電源とする装置を取り付ける事により歩行者・自動車等を運転する者により安全性の高い自転車を提供しようとするものである。【０００４】自転車に方向指示機を付ける事により確認できるようにした。
【課題を解決するための手段】
【０００５】本考案は、電源装置を取り付け、左右スイッチ・左前方、左後方指示機・右前方、右後方指示機それらを繋ぐ配線を備えた自転車で有って、グリップを離す事なく操作出来るのが最大の特徴である。親指で右スイッチを押すと前方と後方の右指示ランプが点灯し、左スイッチを押すと前方と後方の左指示ランプが点灯し、又、もう一度押すと消灯する事を特徴とする。
【考案の効果】
【０００６】本考案は、自転車の方向指示機は簡単な取り付けにも係わらず人命を守ろうとするものである。
【図面の簡単な説明】
【０００７】
【図１】本考案の自転車の一実施例の図で有って、（ａ）は、本自転車のグリップ部分を正面から見た状態を示す図である。（ｂ）は、本自転車のグリップ部分を運転者側から見た状態を示す図である。
【図２】本自転車の側面図である。
【図３】本自転車の背面図である。
【図４】本自転車の後方に取付けられる方向指示機を示した図である。
【図５】本自転車の配線ブロック図の一例である。
【考案を実施するための形態】
【０００８】自転車の前方後方から来る、自動車・バイク・歩行者・その他に対して安全のために自転車に方向指示機を取り付ける。
【実施例】
【０００９】電源装置を自転車に取り付け、左スイッチ・右スイッチ・左前側指示機・左後側指示機・右前側指示機・右後側指示機それらをつなぐ配線を少なくとも備えた自転車で有って、グリップを離すことなく操作できるのが最大の特徴である。親指で右スイッチを押すと前側と後側の右側のランプが点灯し、もう一度押すと消灯する。親指で左スイッチを押すと前側と後側の左側のランプが点灯し、もう一度押すと消灯する事を特徴とする方向指示機を備え付ける。
図面に従って実施例を説明する。
１）ハンドルポストの中央に電池を入れる電池ボックス１を取付ける。
２）ハンドルポストから左右に分けてグリップ点灯ボタン２Ａ・２Ｂを付ける。
３）グリップ１３Ａ・３Ｂを握りながら親指で押せる範囲内にスイッチボタン３Ａ・３Ｂを取付ける。
４）電池ボックス１から左右に分けて指示機ランプに配線をつなぐ。
５）右スイッチボタン３Ａを押せば同時に点灯する前指示ランプ２Ａと後指示ランプ１２Ａを取付ける。
６）左スイッチボタン３Ｂを押せば同時に点灯する前指示ランプ２Ｂと後指示ランプ１２Ｂを取付ける。
７）電池ボックス１から左右に分けて指示機ランプ３Ａ・３Ｂに配線をつなぐ。
８）電池ボックス１からハンドルポスト５に配線を持ってくる。
９）ハンドルポスト５からフレーム７に配線を持ってくる。
１０）フレーム７からギャークランク８に配線を持ってくる。
１１）ギャークランク８からチェーンケース９に配線を持ってくる。
１２）後ろハブ１０から泥除けステー１１に配線を持ってくる。
１３）泥除けステー１１から後ろ方向指示機１２に配線をつなぐ。
１４）右スイッチボタン３Ａを押せば同時に前指示ランプ２Ａと後指示ランプ１２Ａが作動し点灯する。
１５）左スイッチボタン３Ｂを押せば同時に前指示ランプ２Ｂと後指示ランプ１２Ｂが作動し点灯する。【００１０】自転車に取り付けたボタンを親指で押せる距離【００１１】本考案の１例は前方及び後方の人にもよく見えてより安全に走行できる装置である
【符号の説明】
【００１２】１００）        自転車
１）            乾電池
２）２Ａ        前右ランプ
３）２Ｂ        前左ランプ
４）４          配線
５）３Ａ        右スイッチボタン
６）３Ｂ        左スイッチボタン
７）７          フレーム
８）８          ギヤ−クランク
９）９          チェーンケース
１０）１０      後ろハブ
１１）１１      泥除けステー
１２）１２Ａ    後ろ指示ランプ右側
１３）１２Ｂ    後ろ指示ランプ左側
【図１】
0003220392.tif 000003
【図２】
0003220392.tif 000004
【図３】
0003220392.tif 000005
【図４】
0003220392.tif 000006
【図５】
0003220392.tif 000007
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
乾電池、ソーラーパネル、ダイナモ、またはボタン電池からなる電源と、左前側指示機、左後側指示機、右前側指示機、および右後側指示機と、グリップを離す事なく親指で操作ができる左スイッチおよび右スイッチと、電源、左前側指示機、左後側指示機、右前側指示機、右後側指示器、左スイッチおよび右スイッチをつなぐ配線とを少なくとも備えた自転車であって、電源、左前側指示機、右前側指示機、左スイッチおよび右スイッチは自転車のハンドルポストに取り付けられ、左後側指示機及び右後側指示機は自転車の後方に取付けられるものであり、右スイッチボタンを押すと、右前側指示機および右後側指示機が点灯し、もう一度右スイッチを押すと消灯するように動作し、左スイッチを押すと、左前側指示機および左後側指示機が点灯し、もう一度左スイッチを押すと消灯するように動作する事を特徴とする方向指示機付き自転車。
(57)【要約】      （修正有）【課題】鍵盤楽器の鍵盤上面に竹を使用することで、アクリル樹脂鍵盤材より優れた吸水性、タッチ感、演奏性を持ち、傷がつきにくい竹製鍵盤材を提供する。【解決手段】ピアノ、オルガン、電子ピアノ、電子オルガン、キーボード、鍵盤ハーモニカ、シンセサイザー等の鍵盤の本体１上面に貼りつけて使用する竹製鍵盤材２であって、その表面は平滑化され、その厚みは一定であり、鍵盤の上面形状に応じて成形される。【選択図】図１
0003220396.tif 000002
【実用新案登録請求の範囲】
【請求項１】
鍵盤の鍵盤本体の上面に、竹を貼りつけることで、演奏時に汗等が鍵盤表面に付着しても、鍵盤表面の滑りとべとつき感を排除し、適当なざらつき性と弾性、吸水性とによりタッチ感を向上させて演奏性を良好にする。例えばピアノ、オルガン、電子ピアノ、電子オルガン、キーボード、鍵盤ハーモニカ、シンセサイザー等の鍵盤として使用する竹製鍵盤材。
【考案の詳細な説明】
【技術分野】
【０００１】  本考案は、鍵盤楽器の鍵盤に関するものである。
【背景技術】
【０００２】  長時間演奏時等のときには鍵盤が「汗」等ですべることがあるため、一般的なアクリル樹脂鍵盤材に対して人工象牙等代替材料での製品化が行われている。
【先行技術文献】
【特許文献】
【０００３】
【特許文献１】特開２００９−１３９５１２
【考案の概要】
【考案が解決しようとする課題】
【０００４】  鍵盤楽器では、象牙鍵盤の替わりにアクリル樹脂などに着色剤を配合した樹脂からなる鍵盤材（例えば、特許文献１参照）が報告されている。しかし、アクリル樹脂鍵盤材は吸水性、タッチ感、演奏性の改善ついて望まれている。
【課題を解決するための手段】
【０００５】  本考案は、天然の竹を加工し鍵盤材とすることで、前記課題を解決するものである。竹製鍵盤材は、適度の吸水性を有し、演奏者の指の汗をよく吸収する。特に水分（汗）を速やかに吸い取る。
【考案の効果】
【０００６】  上述の様に、本考案の竹製鍵盤材はアクリル樹脂鍵盤材より優れたタッチ感、演奏性、および吸水性があることで長時間の演奏でも心地よい演奏が可能になる。
【図面の簡単な説明】
【０００７】
【図１】２層構造からなる鍵盤を示す図である。
【図２】図１の２にする部分で竹製。
【考案を実施するための形態】
【０００８】  竹の表面を平滑化し、厚みを一定にして異なる鍵盤の本体形に応じて成形する。さらに表面を粗さの異なる研磨紙により研磨し、さらにバフ仕上げにて鍵盤材を得た。この竹製鍵盤材を鍵盤本体に接着剤等で鍵盤本体に貼りつける。
【実施例】
【０００９】  以下、添付図面に従って一実施例を説明する。図１の１の鍵盤本体、図１の２の成形加工した鍵盤表面部位を構成する竹製鍵盤材を接着固定する。
図２は１音づつ形の異なる鍵盤本体形の例である。図２のｔは一定の厚みで加工するがａ、ｂ、ｃ、ｄの寸法は音により異なる寸法で成形する。【００１０】  この竹製鍵盤材について、その研磨表面における吸水量、研磨表面の動摩擦係数を測定した結果を表に示す。それぞれ比較のために研磨、バフ仕上げの異なる竹製鍵盤材とアクリル樹脂鍵盤材についても測定値を併せて示した。表の結果から、竹製鍵盤材はアクリル樹脂鍵盤材に比べ吸水性に優れ、かつ適度な動摩擦があることにより問題を解決している。
0003220396.tif 000003
【符号の説明】
【００１１】１  鍵盤本体
２  鍵盤表面部位を構成する部材
【図１】
0003220396.tif 000004
【図２】
0003220396.tif 000005
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
ピアノ、オルガン、電子ピアノ、電子オルガン、キーボード、鍵盤ハーモニカ、シンセサイザー等の鍵盤の本体上面に貼りつけて使用する竹製鍵盤材であって、その表面は平滑化され、その厚みは一定であり、前記鍵盤の上面形状に応じて成形された竹製鍵盤材。
(57)【要約】      （修正有）【課題】車両エンジンスワップを低コストでかつ容易とするマウント部材を提供する。【解決手段】既存の車両のフレームの取り付け穴２ａ〜２ｄを使用し、マウント部材３ａ、３ｂ、４をねじで当該フレームに固定することにより、従来のマウント部材の溶接による当該フレームへの固定に比べ、低コストでかつ容易に当該マウント部材を当該フレームに固定することを可能とする。【選択図】図１
0003220394.tif 000002
【実用新案登録請求の範囲】
【請求項１】
車両のフレームの既存の取り付け穴にねじ止めするために、取り付け穴を設け、当該フレームに固定したところを特徴とする車両エンジンスワップ用のマウント部材
【考案の詳細な説明】
【技術分野】
【０００１】  本考案は、エンジンスワップ用のマウント部材に関するものである。
【背景技術】
【０００２】  エンジンは、年数が経ると故障してしまう場合も多く、エンジンの構造上、修理に費用がかかり、不動車となっていることが多かった。出力の小さいエンジンを出力の大きいエンジンに積み換える改造（本考案では、以下エンジンスワップと以下と略する）も行われているが、溶接技術や個人のスキルにおいては、車両の安全性に問題がある場合も多かった。
【考案が解決しようとする課題】
【０００３】  従来はエンジンスワップをする場合、既存の車両のフレームに新規のマウント部材等を製作し、溶接する必要があり、また、その際に塗工等をする必要があり、コストと作業時間がかかるという問題があった。本考案は前述の問題を解決しようとするものである。
【課題を解決するための手段】
【０００４】  上記課題を解決するため、本考案は既存の車両のフレームの取り付け穴を使用し、当該取付け穴へエンジンスワップ用のマウント部材を、ねじで固定することにより、従来の溶接工法を使用することなく当該マウント部材を既存の車両のフレームに取り付けることを可能とするものである。
【考案の効果】
【０００５】  既存の車両のフレームへのマウント部材の取り付けに溶接工法を使用する必要がなく、またマウント部材への再塗装の必要がないためコストと作業時間を短縮することが可能となる。
【０００６】  しかも、当該マウント部材自身が補強材としての効果を有するため、車両の操安性が向上する。
【図面の簡単な説明】
【０００７】
【図１】本考案のエンジンスワップ用のマウント部材を示す図である。
【考案を実施するための形態】
【０００８】  エンジンの既存のフレームの取り付け穴に、当該マウント部材のフレームブラケット部材をねじ止めすることで、エンジンフレームに固定しフレームのジョイント部へ橋渡しする形で、強度のあるアルミ材を使用してエンジンを固定することを可能とした。
【実施例】
【０００９】  以下、本考案にかかるエンジンスワップ用のマウント部材について図に基づいて説明する。ここで、図１は本考案にかかる当該マウント部材を示す図である。【００１０】  図１における、１ａと１ｂは、フレームブラケット部材で既存のエンジンフレームに固定される部材である。２ａ、２ｂ、２ｃと２ｄは、フレームへの取り付け穴で、既存のエンジンフレームに当該マウント部材を既存のエンジンフレームにねじ止めするための穴であり、３ａと３ｂは、マウントベース部材で、既存のエンジンと交換するエンジンの固定位置が異なるため固定位置の違いを変換する部材である。
４は、マウントベースセンターで、エンジンのオフセット位置（車両に対して基準となるエンジン搭載位置が左右方向でも異なる）を変換する部品である。【００１１】  １ａと１ｂのフレームブラケット部材には、既存のエンジンフレームの取り付け穴に当該スワップ部材をねじ止めするための２ａ、２ｂ、２ｃと２ｄのフレームへの取り付け穴が設けられ、当該取付け穴に、ねじを挿入しねじ止めすることで、当該マウント部材は既存のエンジンフレームに固定される。
【符号の説明】
【００１２】  １ａ  フレームブラケット部材
１ｂ  フレームブラケット部材
２ａ  フレームへの取付け穴
２ｂ  フレームへの取付け穴
２ｃ  フレームへの取付け穴
２ｄ  フレームへの取付け穴
３ａ  マウントベース部材
３ｂ  マウントベース部材
４    マウントベースセンター部材
【図１】
0003220394.tif 000003
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
車両フレームの既存取り付け穴にねじ止めするために、エンジンフレームに固定される部材に取付穴を設け、車両フレームの取り付け穴とエンジンフレームに固定される部材に設けられた取付穴を通じて共締め固定する事を特徴とするエンジンマウント部材。
(57)【要約】      （修正有）【課題】人体に有害なプラスイオンを中和するため外気を室内に取り入れる時にマイナスイオンが入るようにしたブラインド式雨戸を提供する。【解決手段】ブラインド式雨戸であって．短冊状に形成された複数のスラット３８と、各スラットの上端部及び下端部を連結する伸縮自在のレージトング４１とを備え、レージトングは、形状の異なる二種類のリンク４７ａ，４７ｂを中央部で軸着してＸ字状に回転自在に組み合わせた複数組をヒンジ結合してエキスパンダー式に伸縮自在に構成され、スラットには、マイナスイオンを含む塗料を塗る、又はマイナスイオンの粒子を含むテープを貼る構成とした。【選択図】図５
0003220386.tif 000002
【実用新案登録請求の範囲】
【請求項１】
マイナスイオン発生塗料｛デオドラ｝をスラッと（３８）の内側に塗るか又はマイナスイオンの粒子を含んだテープ（両面テープ）を貼る事とした。
【考案の詳細な説明】
【技術分野】
【０００１】本考案は、屈伸リンクにより開扉又は開扉するブラインド式雨戸に関する。
【背景技術】
【０００２】  室内にはＴＶ・パソコン・エアコンなどから人体に有害なプラスイオンが発生・充満しています。【０００３】このような問題を解決するためのものとして改良したしたのがスラットの内側にマイナスイオンを含んだ塗料を塗るか又はテープを貼ることによりブラインド状態時に外から室内に流れる外気にマイナスイオンが入ることにした。【０００４】このようなブラインド式雨戸に関するものとして特許文献１が開示するところのブラインド式雨戸が提案されている。この特許文献Ｉに開示されるブラインド式雨戸は従来のブラインド複数のスラットが雨戸の正面から所定の角度傾いて互いに平行になり雨戸が閉じた状態のまま框の収縮により各スラット間が開口するように構成されている。
【特許文献１】実用新案３１７４２８１号
【０００５】（ブラインド式雨戸の構成）
図１は、本発明の一実地の形態におけるブラインド式雨戸の開扉時の縦断面図である。
また、図２は、本実施の形態における開扉時の横断面図であり、図１のＡ−Ａ線で切った断面を示している。
なお、このブラインド式雨戸の材質は、アルミ製（一部ステンレス製）である。、【０００６】  図３は四辺形状の上辺部を構成する上枠２１と、下辺部を構成する下枠２２と、側辺部を構成する左右一対の縦枠を２３とを有して構成されている。【０００７】図４は、そのブラインド式雨戸１９の正面図である。
図に示すように、ブラインド式雨戸１９は、短冊状に形成された複数のスラット３８と、この各スラット３８の上端部及び下端部を連結する伸縮自在のレージトング４１と、上側のレージトング４１をガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００８】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されて折表裏に係止緑４４をスラット３８に取り付けるためスラット３８が閉じた時に密着できるようにした。【０００９】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。
【考案が解決しようとする課題】
【００１０】室内に充満している有害なプラスイオンをマイナスイオンを室内に流入することにより中和しようとした。
【課題を解決するための手段】
【００１１】スラット（３８）にマイナスイオンを含む塗料を塗るか又はテープを貼ることにした。
【考案の効果】
【００１２】  本考案の効果はブラインド式雨戸をブラインドにした状態で通風時に何もしない場合とこのマイナスイオンをスラットに施すと比較したデーターは資料（１）に示した。
【図面の簡単な説明】
【００１３】
【図１】本発明の一実施形態におけるブラインド式ドアーの開扉時の縦断面図である。
【図２】本発明の一実施形態における開扉時の横断面図である。
【図３】本発明の一実施形態におけるブラインド式ドアー用案内枠の表面側を示す図である。
【図４】本発明の一実施形態におけるブラインド式ドアーの拡大斜視図である。
【図５】本発明の一実施形態におけるブラインド式ドアーを開けた状態の内側正面図である。
【図６】本発明の一実施形態におけるブラインド式ドアーの拡大斜視図である。
【図７】本発明の一実施形態におけるレージトング及びガイドローラの部分を拡大した分解斜視図である。
【図８】本発明ノ一実施形熊におけるブラインド時のスラットの構成図
【符号の説明】
【００１４】１  建物
２  開口部
【図１】
0003220386.tif 000003
【図２】
0003220386.tif 000004
【図３】
0003220386.tif 000005
【図４】
0003220386.tif 000006
【図５】
0003220386.tif 000007
【図６】
0003220386.tif 000008
【図７】
0003220386.tif 000009
【図８】
0003220386.tif 000010
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項１】
ブラインド式雨戸であって，短冊状に形成された複数のスラット（３８）と、この各スラット（３８）の上端部及び下端部を連結する伸縮自在のレージトング（４１）とを備え、前記レージトング（４１）は、形状の異なるニ種類のリンク（４７ａ）、（４７ｂ）を中央部で軸着してＸ字状に回転自在に組み合わせた複数組をヒンジ結合してエキスパンダー式に伸縮自在に構成されており、前記スライド（３８）には、マイ＋スイオン発生塗る、又はマイナスイオンの粒子を含んだテープを貼ることを特徴とするブラインド式雨戸。
【手続補正書】
【提出日】平成30年11月14日(2018.11.14)
【手続補正１】
【補正対象書類名】実用新案登録請求の範囲
【補正対象項目名】全文
【補正方法】変更
【補正の内容】
【実用新案登録請求の範囲】
【請求項１】
ブラインド式雨戸であって．短冊状に形成された複数のスラット（３８）と．この各スラット（３８）の上端部及び下端部を連結する伸縮自在のレージトング（４１）とを備え、前記レージトング（４１）は、形状の異なる二種類のリンク（４７ａ），（４７ｂ）を中央部で軸着してＸ字状に回転自在に組み合わせた複数組をヒンジ結合してエキスパンダー式に伸縮自在に構成されており、前記スライド（３８）には、マイナスイオンを含む塗料を塗る、又はマイナスイオンの粒子を含んだテープを貼ることを特徴とするブラインド式雨戸。
(57)【要約】【課題】近年流行している暗闇でのフィットネストレーニングに特化した、暗闇で光るパンチバッグを提供する。【解決手段】パンチバッグの全体または一部に蓄光材や蛍光材、夜光材といった発光素材を塗布したり印刷することで暗闇で光るようにする。蛍光材は紫外線を当てることで光る性質があるため、ブラックライトも適宜組み合わせて使用する。また、表皮を透明な物にして中が見える状態にしておき、そこに発光素材を練り込んだ中材を封入することで打撃によって中材が舞い上がったりするような動的な視覚効果を加える事も可能である。【選択図】図１
0003220384.tif 000002
【実用新案登録請求の範囲】
【請求項１】
表面の全体または一部に蓄光材、蛍光材、夜光材といった発光材を用いることによって暗闇で光り、円柱形、円形、楕円形、球体といった形状をとる暗闇で光るパンチングバッグ。
【請求項２】
表皮を透明な物にして中が見える状態にし、その中に発光材を練り込んだ中材を入れることで、打撃を加えた際に発光する中材が内部で舞い上がるようになっており、立体的な演出も可能な暗闇で光るパンチングバッグ。
【考案の詳細な説明】
【技術分野】
【０００１】
本考案は暗闇で光るパンチングバッグに関する。
【背景技術】
【０００２】
近年では室内を暗くして、暗闇で身体を動かすというエクササイズが流行している。前述のような暗闇でのエクササイズでは参加者の気分を上げる為に音楽を流したり、カラフルな照明器具で室内を彩るというような工夫が為されている。
【０００３】
また、格闘技を行う際にパンチングバッグという道具が用いられることがある。パンチングバッグとは表皮内に砂や水、布切れ、綿といった中材を封入し、それにパンチやキック等の打撃を加えてトレーニングを行う事を目的とした道具である。
【考案の概要】
【考案が解決しようとする課題】
【０００４】
しかしながら、参加者が使う練習着や練習道具に関しては暗闇でのエクササイズに特化した物は開発ないし販売されていない。
【０００５】
本考案は発光させることで視覚的効果を生じさせ、暗闇において、興趣性に富んだトレーニングに特化したパンチングバッグを提供する事を目的とする。
【課題を解決するための手段】
【０００６】
前記目的を達成するために、本考案に係るパンチングバッグの一部又は全体に蓄光材や蛍光材、夜光材といった発光素材を塗布している。パンチングバッグは円柱形、円形、楕円形、球体といった形を取る。
【０００７】
発光素材は塗布だけでなく、パンチングバッグにロゴやイラスト印刷の際に用いる事もある。
【０００８】
また、発光素材を練り込んだ中材をパンチングバッグに封入する事もある。
【考案の効果】
【０００９】
本考案のパンチングバッグは蓄光剤や蛍光材、夜光材といった発光素材が用いられており、暗い場所で発光する。
【００１０】
その為、暗闇でのエクササイズ時に使用すると発光したパンチングバッグが暗闇に映え、視覚的効果が得られるようになる。
【００１１】
エクササイズ中に音楽をかけ、その音楽に合わせたトレーニングを行ったりすることで、前述の視覚的効果も加わり、エクササイズ時の意欲に繋がる。
【００１２】
また、蓄光材を使用する場合は事前に蓄光量を調節し、設定した時間に発光が終わるようにしておけば、トレーニング継続の目安にも成り得る。
【００１３】
表面と裏面で違う色の発光材を塗布する事でパンチやキックの衝撃でパンチングバッグが裏返り別の色が現れるなど、塗り方によって様々な視覚効果を演出する事ができる。
【００１４】
また、パンチングバッグに透明な表皮を用いて中が見える状態にし、発光素材を練り込んだ中材を封入することで、打撃で発光した中材が舞い上がるといった動的な視覚効果を生じさせることもできる。
【００１５】
本考案のパンチングバッグは暗闇のエクササイズに特化しているが、室内を暗くしたり、ブラックライトを照射したりしない限りは発光することの無い一般的なパンチングバッグとしての使用ができる。暗い室内でのエクササイズだけでなく、ボクシングジム等での一般的なトレーニングでも利用する事ができる。
【００１６】
以上より、暗闇でのエクササイズを行う時に視覚的効果を生じさせ、エクササイズに変化や興趣をもたらすパンチングバッグの提供を可能にした。
【図面の簡単な説明】
【００１７】
【図１】本考案の全体図を示す図である。
【考案を実施するための形態】
【００１８】
施設内を暗くして本考案のパンチングバッグにパンチやキック等の打撃を与える。必要に応じてブラックライト等を照射させる等して視覚的効果を出しながらトレーニングを行う。
【図１】
0003220384.tif 000003
(57)【要約】【課題】解決しようとする問題点は、携帯時は薄くてコンパクトであり、バッグとして使用するときは収納容量が大きく、また、簡単にくくることにより短時間で持ち運び可能となるバッグを提供することにある。【解決手段】四角い布帛を２枚重ねてあり、布帛の一隅の先端部分を中央部に向かって三角形状に両側に折り返し、一隅の先端部に隣接する２辺と折り返した三角形状部を縫製して台形の凸部を形成したことを特徴とするバッグ。【選択図】図１
0003220313.tif 000002
【実用新案登録請求の範囲】
【請求項１】
四角い布帛が２枚重ねてあり、両布帛の一隅の先端部分を中央部に向かって三角形状に両側に折り返し、一隅の先端部に隣接する２辺と折り返した三角形状部を縫製して台形の凸部を形成したことを特徴とするバッグ。
【考案の詳細な説明】
【技術分野】
【０００１】  本考案は、持ち運びが便利なバッグに関するものである。
【背景技術】
【０００２】  従来、スーパーなどで使い捨てのプラスチック製の袋が使われている。しかしながら、このようなプラスチック素材のバッグは廃棄されると、焼却や埋め立てなどの場合を除き、管状に放棄された場合、環境汚染となり、現在地球上で大問題となっている。
これに対し、使い捨てではなく繰り返し使用できるエコバッグがあるが、これらは一般的に厚手であり、使用しないときは嵩張り、携帯に不便であるという問題点がある。日本古来の風呂敷を用いるということも考えられるが、買い物袋としてみた場合、くくり方にコツが必要であり、また、結ぶのに時間がかかるという問題点もある。
【考案の概要】
【考案が解決しようとする課題】
【０００３】  解決しようとする問題点は、携帯時は薄くてコンパクトであり、バッグとして使用するときは収納容量が大きく、また、簡単にくくることにより短時間で持ち運び可能となるバッグを提供することにある。
【課題を解決するための手段】
【０００４】  本考案は、
四角い布帛を２枚重ねてあり、布帛の一隅の先端部分を中央部に向かって三角形状に両側に折り返し、一隅の先端部に隣接する２辺と折り返した三角形状部を縫製して台形の凸部を形成したことを特徴とするバッグ、
である。
本考案に用いる２枚の布帛は同一の生地でも異なる生地でもよい。大きさは一辺が３０〜８０ｃｍが好ましい。布帛には着色、プリント、染色など、いかなる着色手段を用いてもよい。布帛の厚みは０．２〜２ｍｍが好ましい。厚みが２ｍｍを超えると折りたたんで収納したとき嵩張るので好ましくなく、０．２ｍｍ未満では布帛の強度が不足するため、収納するものによっては破断するため好ましくない。本考案のバッグは２枚の四角い布帛を重ねて、その１隅（頂点）の先端部分を布帛の中央部に向かって両側に折り返してある。三角形状部は一辺が５〜１５ｃｍ程度が好ましい。折り返す方向は中央部に向かってであるが、多少ずれてもよい。
縫製は一隅の先端部の両辺と折り返した先端部の端部について行う。
縫製は一般的な家庭用ミシンを用いて行うことが可能であるが、業務用のミシンを用いてもよい。
【考案の効果】
【０００５】  本考案のバッグは携帯時には薄くてコンパクトであり、バッグとして使用時には台形形状の両端の頂点部をそれぞれ固結びし、内側に荷物を入れて台形形状の反対側の頂点部を２枚合わせて縛ることにより、深いバッグ形状とし、手に持ったり、肩にかけたりして運搬することが出来る。また、使わないときは折りたたむことが出来、コンパクトになるので鞄などに簡単にスペースをとらずに収納することができる。
【図面の簡単な説明】
【０００６】
【図１】本考案のバッグの見本写真
【図２】本考案のバッグの一隅の両端部を固結びし，凸部の反対側の２枚の一端を結び合わせて、運搬用のバッグとした見本写真
【図３】本考案のバッグを肘にかけて運搬する様子を示した写真
【考案を実施するための形態】
【０００７】本考案を実施例でもって説明する。
【実施例１】
【０００８】  一辺が５０ｃｍの風呂敷を２枚重ね、その１隅（頂点）部１０ｃｍを中央部に向かって外側に折り返した。その後その頂点の両側の辺と折り返した三角形状部の底辺とをミシンがけした。次に３角形上部をミシンがけした。そののち、裏返してバッグとした。
【産業上の利用可能性】
【０００９】  本バッグは携帯性に優れ、環境にも優しいバッグとして利用することが出来る
【図１】
0003220313.tif 000003
【図２】
0003220313.tif 000004
【図３】
0003220313.tif 000005
(57)【要約】【課題】  木造建築物の屋根構造に使用される野地パネルに関し、隣接する野地パネルの接合端面間における防水又は断熱機構を確保できる構造を有した野地パネルを提供しようとするものである。【解決手段】  あらかじめ工場内で所定の構成材を組み付けた野地パネルであって、該野地パネル１の周縁に沿って上下左右面に一定の凹溝２を設け、且つ該凹溝２の少なくとも一方に防水シール材３を介して目地材４を嵌め込み装着して付属して成し、さらに該目地材４は隣接する同様の野地パネルを連結係止できる形状とし、隣り合う凹溝間に密接して介在し、隣接する野地パネルの接合端面間を封止して防水又は断熱機構を確保できる構造とした。【選択図】図４
0003220316.tif 000002
【実用新案登録請求の範囲】
【請求項１】
あらかじめ工場内で所定の構成材を組み付けた野地パネルであって、該野地パネルの周縁に沿って上下左右面に一定の凹溝を設け、且つ該凹溝の少なくとも一方に防水シール材を介して目地材を嵌め込み装着して付属して成し、さらに該目地材は隣接する同様の野地パネルを連結係止できる形状とし、隣り合う凹溝間に密接して介在し、隣接する野地パネルの接合端面間を封止して防水又は断熱機構を確保できる構造としたことを特徴とする野地パネル。
【考案の詳細な説明】
【技術分野】
【０００１】  本考案は、木造建築物の屋根構造に用いる野地パネルに関する。
【背景技術】
【０００２】  従来より、工期短縮や工費節減等の目的達成の為、屋根構成部材を工場等において一体成形した屋根パネル或いは野地パネルを用いて現場施工するパネル工法により、現場における施工作業数を軽減している。【０００３】  これらのパネル工法によれば現場施工時間を大幅に短縮できるものであるが、隣接パネルの接合端面間には施工時の必要上、隙間が設けられており、この接合端面間における防水又は断熱構造をいかにするかが一つの問題となっている。【０００４】この問題を解決するための従来技術として、次の屋根パネル接合構造及び屋根パネル接合方法が提案されている。
【先行技術文献】
【特許文献】
【０００５】
【特許文献１】特開平０５−３２１４１１号公報
【考案の概要】
【考案が解決しようとする課題】
【０００６】  しかしながら、上記、従来の技術によれば、接合部が容易に剥離することが考えられることから、施工不具合が生じる問題点を有していた。【０００７】本考案は、上記従来有する問題点に鑑み、木造建築物の屋根構造に使用される野地パネルに関し、隣接する野地パネルの接合端面間における防水又は断熱機構を確保できる構造を有した野地パネルを提供しようとするものである。
【課題を解決するための手段】
【０００８】  あらかじめ工場内で所定の構成材を組み付けた野地パネルであって、該野地パネル１の周縁に沿って上下左右面に一定の凹溝２を設け、且つ該凹溝２の少なくとも一方に防水シール材３を介して目地材４を嵌め込み装着して付属して成し、さらに該目地材４は隣接する同様の野地パネルを連結係止できる形状とし、隣り合う凹溝間に密接して介在し、隣接する野地パネルの接合端面間を封止して防水又は断熱機構を確保できる構造とした。
【考案の効果】
【０００９】  本考案によれば、隣接する野地パネルそれぞれの接合端面凹溝間に防水シール材を介して目地材を密接に介在して連結することから、これにより防水又は断熱機構を確保しているので、現場においては防水又は断熱効果を得るための特別な作業を必要とせず、作業数を軽減することができ、また、現場施工時間の短縮及び工費節減を図る効果も期待できる。
【考案を実施するための最良の形態】
【００１０】  以下、本考案の実施の形態について、図面を参照して説明する。
図１・図２・図３・図４に示すように、本考案に於いては、あらかじめ工場内で所定の構成材を組み付けた野地パネルであって、該野地パネル１の周縁に沿って上下左右面に一定の凹溝２を設け、且つ該凹溝２の少なくとも一方に防水シール材３を介して目地材４を嵌め込み装着して付属して成し、さらに該目地材４は隣接する同様の野地パネルを連結係止できる形状とし、隣り合う凹溝間に密接して介在し、隣接する野地パネルの接合端面間を封止して防水又は断熱機構を確保できる構造とし、木造建築物の屋根構造に用いられる。
【図面の簡単な説明】
【００１１】
【図１】  本考案に於ける野地パネル及びこれに付属する目地材を示す正面図である。
【図２】  本考案に於ける野地パネルの接合図である。
【図３】  本考案に於ける野地パネルの接合部構造の一部分を拡大して示した説明図である。
【図４】  図２のＡ−Ｂ矢視断面図である。
【符号の説明】
【００１２】  １  野地パネル
２  凹溝
３  防水シール材
４  目地材
【図１】
0003220316.tif 000003
【図２】
0003220316.tif 000004
【図３】
0003220316.tif 000005
【図４】
0003220316.tif 000006
(57)【要約】      （修正有）【課題】メモを挟むものとしても使用可能であるメモスタンドを提供する。【解決手段】メモスタンドの二つの本体Ａ、Ｂ内部にそれぞれ磁石を有し、二つの本体Ａ、Ｂを連結させることでメモスタンドとして使用可能で、且つ磁石が張り付く場所であればそれぞれが単体でメモＤを挟むことが可能である。【選択図】図２
0003220528.tif 000002
【実用新案登録請求の範囲】
【請求項１】
二つの本体内部にそれぞれ磁石を有し、二つを連結させることでメモスタンドとして使用可能で、且つ磁石が張り付く場所であればそれぞれが単体でメモを挟むことが可能であることが特徴のメモスタンド。
【考案の詳細な説明】
【技術分野】
【０００１】  本考案は二つの本体内部に磁石を有し、メモスタンドとしても、それぞれがメモを挟むものとしても使用可能であることが特徴のメモスタンドに関するものである。
【背景技術】
【０００２】  従来の磁石を有したメモスタンドは、磁石が張り付く場所でメモを挟む場合、磁石を有している方はメモを挟むことが可能であったが、鉄板を有している方はメモを挟むことは不可能であった。【０００３】
【考案の概要】
【考案が解決しようとする課題】
【０００４】  本体の片方に磁石を有し、もう片方に鉄板を有しているメモスタンドの場合、鉄板を有している方は磁石が張り付く場所でメモを挟むことが不可能で、磁石を有している方と連結させ、メモスタンドとして使用する以外に用途がなかった。
【課題を解決するための手段】
【０００５】  前記請求項１記載の考案は、二つの本体内部に磁石を有し、メモスタンドとしても、それぞれがメモを挟むものとしても使用可能であることを特徴とする。
【考案の効果】
【０００６】  前述の０００５の手段により、本考案のメモスタンドは、磁石が張り付く場所で二つそれぞれがメモを挟むことが可能となった。
【図面の簡単な説明】
【０００７】
【図１】本考案を適用したメモスタンドをメモスタンドとして使用した図である。
【図２】本考案を適用したメモスタンドを磁石が張り付く場所でメモを貼り付けて使用した図である。
【考案を実施するための形態】
【０００８】  以下、本考案を実施するための最良の形態として、メモスタンドについて、図面を参照しながら詳細に説明する。
【０００９】  図１は本考案のメモスタンドのメモスタンドとしての使用例を表している。それぞれが磁石を有するＡとＢの間にＤの様なメモを挟むことで、Ｃの机の様な場所に置き、メモスタンドとして使用することが可能。
【００１０】  図２は本考案のメモスタンドで磁石が張り付く場所にメモを挟んだ使用例を表している。ＡとＢの両方が内部に磁石を有することで、図１の様なメモスタンドのみならず、ＡとＢでそれぞれＥなどの磁石が張り付く場所でＤの様なメモを挟むことが可能。
【００１１】  本考案のメモスタンドの二つの本体あるいは部品の形状及び柄は限定されず、いかなる形状及び柄でも構わない。
【００１２】  又、本考案のメモスタンドの二つの本体あるいは部品を形成する素材は限定されず、いかなる素材でも構わない。
【００１３】  又、本考案のメモスタンドの二つの本体の柄を施す手段は限定されず、いかなる手段でも構わない。
【符号の説明】
【００１４】  Ａ  内部に磁石を有するメモスタンド
Ｂ  内部に磁石を有するメモスタンド
Ｃ  机の様な場所
Ｄ  メモ
Ｅ  磁石が張り付く場所
【図１】
0003220528.tif 000003
【図２】
0003220528.tif 000004